(57)【要約】【課題】  梱包体を破ることなく、パック集合体を、梱包体を用いて梱包する。【解決手段】  両端に開口部１ｉを有する筒状に形成された梱包体１の開口部１ｉを開口し、複数個の薄葉紙３が包装されたパック体４が複数個集合されてなるパック集合体２を、梱包体１の内部に、梱包体１の両側の開口部１ｉからそれぞれ所定の距離内側に離間させてパック集合体２の両端にそれぞれ折込領域１ｋを有するように、収納し、両側の折込領域１ｋを折り込んで梱包体の両側の開口部１ｉを密閉して、梱包体１を用いてパック集合体２を梱包する。【選択図】図２
2011026005.tif 000002
【特許請求の範囲】
【請求項１】
両端に開口部を有する筒状に形成された梱包体の開口部を開口し、複数個の薄葉紙が包装されたパック体が複数個集合されてなるパック集合体を、該梱包体の内部に、該梱包体の両側の開口部からそれぞれ所定の距離内側に離間させて該パック集合体の両端にそれぞれ折込領域を有するように、収納し、該両側の折込領域を折り込んで該梱包体の両側の開口部を密閉して、該梱包体を用いて該パック集合体を梱包する梱包方法。
【請求項２】
両端に開口部を有する筒状に形成された梱包体の開口部を開口し、複数個の薄葉紙が包装されたパック体が複数個集合されてなるパック集合体を、一方の開口部から該梱包体の内部に挿入される挿入プッシャーによって、他方の開口部から該梱包体の内部の所定の位置まで挿入された受け部材まで、投入して、該パック集合体を、該梱包体の内部に、該梱包体の両側の開口部からそれぞれ所定の距離内側に離間させて該パック集合体の両端にそれぞれ折込領域を有するように、収納し、該両側の折込領域を折り込んで該梱包体の両側の開口部を密閉して、該梱包体を用いて該パック集合体を梱包する梱包方法。
【請求項３】
上記梱包体は、多層構造を有し、
上記梱包体の各層は、上記梱包体の両側の開口部に対する開口端部が、上記梱包体の開口部から所定の距離内側に離間した位置で、隣接する層と分離された非接合部となっている請求項１又は請求項２記載の梱包方法。
【請求項４】
両端に開口部を有する筒状に形成された梱包体の開口部を開口し、複数個の薄葉紙が包装されたパック体が複数個集合されてなるパック集合体を、投入機構によって、収納し、該梱包体の両端の開口部の周辺を折り込んで該梱包体の両側の開口部を密閉して、該梱包体を用いて該パック集合体を梱包する梱包方法を用いる梱包装置において、
上記投入機構は、
上記梱包体の一方の開口部から挿入され、上記パック集合体を、上記梱包体の内部に投入する挿入プッシャーと、
上記梱包体の他方の開口部から上記梱包体の内部の所定の位置まで挿入され、上記一方の開口部から投入される上記パック集合体を受ける受け部材とを備え、
上記投入機構は、上記パック集合体を、上記一方の開口部から上記梱包体の内部に挿入された挿入プッシャーによって、上記他方の開口部から上記梱包体の内部の所定の位置まで挿入された受け部材まで、投入して、投入後、上記梱包体の内部から挿入プッシャー及び受け部材を抜きだし、上記パック集合体を、上記梱包体の内部に、上記梱包体の両側の開口部からそれぞれ所定の距離内側に離間させて上記パック集合体の両端にそれぞれ折込領域を有するように、収納し、上記梱包体を、該両側の折込領域を折り込んで該梱包体の両側の開口部を密閉可能な状態にする梱包装置。
【請求項５】
請求項１乃至請求項３のうち何れか１記載の梱包方法に用いる梱包体。
【発明の詳細な説明】
【技術分野】
【０００１】
本発明は、複数個の薄葉紙が包装されたパック体が複数個集合されてなるパック集合体を、クラフト紙や樹脂シート等からなり両端に開口部を有する筒状に形成された梱包体で梱包する梱包方法、梱包装置及び梱包体に関する。
【背景技術】
【０００２】
従来、トイレットペーパロールなどの製品は、製造工場から出荷する際に、例えば、トイレットペーパロールがポリエチレンフィルム等の樹脂フィルムを用いて、１２ロール、１６ロール、１８ロール或いは２４ロールの単位でまとめてパック体に包装される。そして、トイレットペーパロールなどの製品が包装されたパック体は、パック集合体として、４個、６個或いは８個の単位でまとめて、ダンボール等に収納されて出荷される。
【０００３】
しかしながら、ダンボールは嵩張ると共に、重量も増加し、さらに市場で製品を取り出した後のダンボールの処分が大変であり、ダンボールを使用することにより、その製品コストが増加するという問題がある。
【０００４】
そこで、ダンボールの代わりに、軽量なクラフト紙等からなる有底袋を使用し、その中にパック集合体を収納することにより、製品の工場出荷時の梱包費用の削減と、その製品の市場での取り出し後の梱包体の後処理費用の削減等を図ることが考えられている（特許文献１参照。）。
【０００５】
しかしながら、特許文献１のようなクラフト紙の有底袋を使用する場合には、その開口部からパック集合体を、有底袋内に押圧して収納する途中で、一旦押込みを停止させたり、減速させたりして、有底袋内の空気を排出した後や排出しながら収納しなければ、有底袋が収納中に破れてしまう虞がある。
【０００６】
また、特許文献１のような有底袋を使用する場合には、有底袋が扁平に折り畳まれて積層されて保管されている際に、有底袋の底部が他の部位と折り重なるため、有底袋の底部と他の部位とで厚さが異なり、安定して積層することができない等の問題がある。
【先行技術文献】
【特許文献】
【０００７】
【特許文献１】特開２００３−２１２２０２号公報
【発明の概要】
【発明が解決しようとする課題】
【０００８】
本発明は、このような従来の事情に鑑みて提案されたものであり、梱包体が破れることなく、パック集合体を梱包体に収納することができる梱包方法、梱包装置及び梱包体を提供することを目的とする。
【課題を解決するための手段】
【０００９】
本発明に係る梱包方法は、両端に開口部を有する筒状に形成された梱包体の開口部を開口し、複数個の薄葉紙が包装されたパック体が複数個集合されてなるパック集合体を、該梱包体の内部に、該梱包体の両側の開口部からそれぞれ所定の距離内側に離間させて該パック集合体の両端にそれぞれ折込領域を有するように、収納し、該両側の折込領域を折り込んで該梱包体の両側の開口部を密閉して、該梱包体を用いて該パック集合体を梱包する。
【００１０】
また、本発明に係る梱包方法は、両端に開口部を有する筒状に形成された梱包体の開口部を開口し、複数個の薄葉紙が包装されたパック体が複数個集合されてなるパック集合体を、一方の開口部から該梱包体の内部に挿入される挿入プッシャーによって、他方の開口部から該梱包体の内部の所定の位置まで挿入された受け部材まで、投入して、該パック集合体を、該梱包体の内部に、該梱包体の両側の開口部からそれぞれ所定の距離内側に離間させて該パック集合体の両端にそれぞれ折込領域を有するように、収納し、該両側の折込領域を折り込んで該梱包体の両側の開口部を密閉して、該梱包体を用いて該パック集合体を梱包する。
【００１１】
更に、本発明に係る梱包体は、上記梱包方法に用いられるものである。
【００１２】
更に、本発明に係る梱包装置は、両端に開口部を有する筒状に形成された梱包体の開口部を開口し、複数個の薄葉紙が包装されたパック体が複数個集合されてなるパック集合体を、投入機構によって、収納し、該梱包体の両端の開口部の周辺を折り込んで該梱包体の両側の開口部を密閉して、該梱包体を用いて該パック集合体を梱包する梱包方法を用いる梱包装置において、上記投入機構は、上記梱包体の一方の開口部から挿入され、上記パック集合体を、上記梱包体の内部に投入する挿入プッシャーと、上記梱包体の他方の開口部から上記梱包体の内部の所定の位置まで挿入され、上記一方の開口部から投入される上記パック集合体を受ける受け部材とを備え、上記投入機構は、上記パック集合体を、上記一方の開口部から上記梱包体の内部に挿入された挿入プッシャーによって、上記他方の開口部から上記梱包体の内部の所定の位置まで挿入された受け部材まで、投入して、投入後、上記梱包体の内部から挿入プッシャー及び受け部材を抜きだし、上記パック集合体を、上記梱包体の内部に、上記梱包体の両側の開口部からそれぞれ所定の距離内側に離間させて上記パック集合体の両端にそれぞれ折込領域を有するように、収納し、上記梱包体を、該両側の折込領域を折り込んで該梱包体の両側の開口部を密閉可能な状態にする。
【発明の効果】
【００１３】
本発明によれば、両端に開口部を有する筒状に形成された梱包体を用いてパック集合体を梱包することで、梱包体が破れることなく、パック集合体を梱包体に収納することができる。
【００１４】
また、本発明によれば、両端に開口部を有する筒状に形成された梱包体を用いることで、梱包体が扁平に折り畳まれた際に均一な厚さとなり、安定して積層することができる。
【図面の簡単な説明】
【００１５】
【図１】本発明が適用された梱包体及びパック集合体を示した斜視図である。
【図２】本発明が適用された梱包体を用いてパック集合体を梱包した様子を示した斜視図である。
【図３】本発明が適用された梱包方法を用いる梱包装置を示したブロック図である。
【図４】本発明が適用された梱包方法を用いる梱包装置のストック機構及び開袋機構により、梱包体が取り出され、開口される様子を示した斜視図である。
【図５】梱包体の扁平に折り畳まれる様子を示した断面図であり、（Ａ）は、第１の折り目及び第３の折り目を用いて扁平に折り畳むものであり、（Ｂ）は、左側面及び右側面に、左側面及び右側面が幅方向の略中心線上でそれぞれ内側に折り曲げ、扁平に折り畳むものである。
【図６】本発明が適用された梱包方法を用いる梱包装置の製品投入機構により、梱包体にパック集合体が投入される様子を示した斜視図である。
【図７】本発明が適用された梱包方法を用いる梱包装置の製品投入機構により、梱包体にパック集合体が投入された際の様子を示した斜視図である。
【図８】本発明が適用された梱包体の内側に設けられるフィルム層の接合部の様子を示した平面図である。（Ａ）は、梱包体の各面の長辺方向にストライプ状に接合部を設けて接合するものであり、（Ｂ）は、梱包体の各面の短辺方向にストライプ状に接合部を設けて接合するものであり、（Ｃ）は、梱包体の各面に格子状に接合部を設けて接合するものであり、（Ｄ）は、非接合部を有するとともに、梱包体の全面で接合するものであり、（Ｅ）は、非接合部を有するとともに、梱包体の各面の長辺方向にストライプ状に接合部を設けて接合するものであり、（Ｆ）は、非接合部を有するとともに、梱包体の各面の短辺方向にストライプ状に接合部を設けて接合するものであり、（Ｇ）は、非接合部を有するとともに、梱包体の各面に格子状に接合部を設けて接合するものであり、（Ｈ）は、梱包体内に収納されたパック集合体より開口部側で、梱包体の両側の開口部からそれぞれ所定の距離内側に離間した位置に、梱包体１の各面の短辺方向に延在する接合部だけで、接合するものである。
【図９】梱包体内に収納されたパック集合体より開口部側で、梱包体の両側の開口部からそれぞれ所定の距離内側に離間した位置に、梱包体１の各面の短辺方向に延在する接合部を示した断面図である。
【発明を実施するための形態】
【００１６】
以下、本発明が適用された梱包方法、梱包装置及び梱包体について、図面を参照して説明する。
【００１７】
本発明が適用された梱包体１は、単層又は複層のクラフト紙からなり、長尺状のクラフト紙が折り畳まれて一方の端部と他方の端部とを接合することにより、図１に示すように、両端が開口された略矩形筒状に形成されている。具体的に、梱包体１は、相対する上面１ａ及び下面１ｂと、相対する左側面１ｃ及び右側面１ｄとを有するように、上面１ａと左側面１ｃとの間の第１の折り目１ｅ、左側面１ｃと下面１ｂとの間の第２の折り目１ｆ、下面１ｂと右側面１ｄとの間の第３の折り目１ｇ、右側面１ｄと上面１ａとの間の第４の折り目１ｈで折り曲げられる。
【００１８】
そして、本発明が適用されたパック集合体の梱包方法は、図１及び図２に示すように、本発明が適用された梱包体１の両側の開口部１ｉ，１ｉのうち一方の開口部１ｉから内部にパック集合体２を収納し、該梱包体１の両側の開口部１ｉ，１ｉの周辺を折り込んでそれぞれ折込片１ｊ，１ｊを形成し、該折込片１ｊ，１ｊをそれぞれ粘着テープ等の密閉部材１８で貼り付けることで、梱包体１の両側の開口部１ｉ，１ｉを密閉し、本発明が適用された梱包体１を用いてパック集合体２を梱包する。
【００１９】
ここで、パック集合体２とは、図１に示すように、トイレットペーパロール３を、ポリエチレンフィルムなどの樹脂フィルムを用いて、複数行複数列に並べた１段を複数段積層されてなる１２ロール、１６ロール、１８ロール或いは２４ロール等の単位でまとめてパック詰めしたパック体４を、４個、６個或いは８個集合させたものである。なお、パック体４は、トイレットペーパロール３を複数個の単位でまとめてパック詰めしたものに限定されるものではなく、薄葉紙であれば如何なるものでもよく、例えば、キッチンペーパ、ティッシュペーパ、インターホールド型トイレットペーパ、インターホールド型タオル等を複数個の単位でまとめてパック詰めしたものであってもよい。
【００２０】
次に、本発明が適用された梱包体１を用いたパック集合体２の梱包方法について説明する。
【００２１】
具体的に、本発明が適用された梱包体１は、本発明が適用された梱包方法を用いる梱包装置１０により、パック集合体２を梱包する。そこで先ず、本発明が適用された梱包方法を用いる梱包装置１０について説明する。
【００２２】
梱包装置１０は、図３に示すように、パック体４を配列してパック集合体２を設ける製品供給機構１１と、扁平に折り畳まれた梱包体１が複数積層されるストック機構１２と、梱包体１を開口する開袋機構１３と、梱包体１の内部にパック集合体２を投入する製品投入機構１４と、梱包体１の両側の開口部１ｉ，１ｉの周辺を折り込む折込機構１５と、梱包体１の両側の開口部１ｉ，１ｉを密閉する密閉機構１６と、これら開袋機構１３、製品投入機構１４、折込機構１５及び密閉機構１６に亘って、パック集合体２を搬送する搬送機構１７とを備える。
【００２３】
製品供給機構１１は、複数個のパック体４を配列してパック集合体２を設ける配列部と、配列部によって設けられたパック集合体２を製品投入機構１４へ搬送する供給部とを有する。配列部は、図１に示すように、トイレットペーパロール３が２行２列に配列された１段が３段積層された１２ロールをまとめて樹脂フィルムを用いてパック詰めされたパック体４を、合計８個集合させて２行４列に配列し、パック集合体２を設ける。供給部は、ローラコンベヤ等であり、配列部によって設けられたパック集合体２を、製品投入機構１４へ搬送する。
【００２４】
なお、配列部は、パック体４を、８個集合させて２行４列に配列することに限定されるものではなく、配列する個数及び行列については、適宜変更可能である。また、配列部は、パック体４を、複数個が配列された一段を複数段積層させるようなものでもよい。更に、パック体４についても、トイレットペーパロール３が２行２列に配列された１段が３段積層された１２ロールであることに限定されるものではなく、パック詰めする個数、行列及び積層数は適宜変更可能である。更にまた、供給部は、ローラコンベヤに限定されるものではなく、配列部によって設けられたパック集合体２を、製品投入機構１４へ搬送することができるものであれば、如何なるものであってもよい。
【００２５】
ストック機構１２は、図４に示すように、扁平に折り畳まれた梱包体１が複数積層されているストック部１２ａと、ストック部１２ａから１枚の梱包体１を取り出す取出部とを有する。ストック部１２ａには、扁平に折り畳まれた梱包体１が複数積層されている。この際、梱包体１は、上面１ａと右側面１ｄとで一主面を形成し、下面１ｂと左側面１ｃとでストック部１２ａと接する他主面を形成し、一主面と他主面ともに段差等がない均一な厚さとなるように第１の折り目１ｅ及び第３の折り目１ｇで扁平に折り畳まれている。取出部は、吸着パッド等であり、上述のように扁平に折り畳まれた梱包体１が複数積層されているストック部１２ａから、最上部の１枚の梱包体１を吸着して取り出し、搬送機構１７の後述する搬出用プレート１７ａ上に配置する。
【００２６】
なお、取出部は、吸着パッドに限定されるものではなく、複数積層されているストック部１２ａから、１枚の梱包体１を取り出し、搬送機構１７の搬出用プレート１７ａ上に配置するものであれば、如何なるものであってもよい。例えば、取出部は、上述したものの他に、ストック部１２ａの底部に、ローラ等が設けられ、このローラが回転することで、最下部の１枚の梱包体１を取り出し、搬送機構１７の後述する搬出用プレート１７ａ上に配置するようなものでもよい。
【００２７】
また、梱包体１は、第１の折り目１ｅ及び第３の折り目１ｇを用いて扁平に折り畳まれることに限定されるものではなく、左側面１ｃ及び右側面１ｄに、左側面１ｃ及び右側面１ｄが幅方向の略中心線上でそれぞれ内側に折れ曲がり、上面１ａと下面１ｂとを当接させる折り目を設けるようにしてもよい。このような梱包体１であっても、一主面と他主面ともに段差等がない均一な厚さとなるように扁平に折り畳まれる。
【００２８】
ここで、図５（Ａ）に示すような、第１の折り目１ｅ及び第３の折り目１ｇを用いて扁平に折り畳まれた梱包体１は、第１及び第３の折り目１ｅ，１ｇは既に折り曲げられた状態であるが、第２及び第４の折り目１ｆ，１ｈが折り曲げられた状態ではない。したがって、第１の折り目１ｅ及び第３の折り目１ｇを用いて扁平に折り畳まれた梱包体１は、図５（Ａ）に示すように、後述する開袋機構１３によって開口され、全開状態に開口されたときに、第１及び第３の折り目１ｅ，１ｇにはそれぞれ略垂直に折り曲げられた角部が形成されるが、開口された状態で積層されている第２及び第４の折り目１ｆ，１ｈには、それぞれ略垂直に折り曲げられた角部が形成されない虞がある。更に、このような梱包体１は、扁平に折り畳まれた状態では、搬出用プレート１７ａの略中央に配置されているのに、全開状態では、図５（Ａ）の点線で示すように、搬出用プレート１７ａの略中央からずれた位置に配置されてしまう。
【００２９】
これに対し、図５（Ｂ）に示すような、左側面１ｃ及び右側面１ｄで、左側面１ｃ及び右側面１ｄが幅方向の略中心線上でそれぞれ内側に折れ曲げられ、上面１ａと下面１ｂとを当接させる折り目が設けられた梱包体１は、第１乃至第４の折り目１ｅ，１ｆ，１ｇ，１ｈが既に折り曲げられた状態で積層されるので、後述する開袋機構１３によって開口され、全開状態に開口されたときに、第１乃至第４の折り目１ｅ，１ｆ，１ｇ，１ｈがそれぞれ略垂直に折り曲げられた角部が形成される。更に、このような梱包体１は、扁平に折り畳まれた状態でも全開状態でも、図５（Ｂ）の点線で示すように、搬出用プレート１７ａの略中央に配置することができ、搬出用プレート１７ａの略中央の位置からずれる虞がない。
【００３０】
また、ストック機構１２は、所定の長さに設けられた梱包体１が、ストック部１２ａに扁平に折り畳まれて複数積層されていることに限定されるものではない。例えば、ストック機構１２は、扁平に折り畳まれた複数個分の長さを有するリール状の梱包体１が、ストック部１２ａに保管され、このリール状の梱包体１から一端部が引き出され、ストック部１２ａで所定の長さに切断されて、取出部によって、所定の長さに切断された１枚の梱包体１を、搬送機構１７の搬出用プレート１７ａ上に配置するものでもよい。
【００３１】
開袋機構１３は、梱包体１の両側の開口部１ｉ，１ｉを開口する開袋部を有する。開袋部は、吸着パッド等であり、図４に示すように、梱包体１の上面１ａを吸着して、左側面１ｃ及び右側面１ｄを下面１ｂに対して立ち上げて略垂直となるように、梱包体１の上面１ａを持ち上げ、梱包体１の両側の開口部１ｉ，１ｉを全開状態にする。なお、開袋部は、吸着パッドに限定されるものではなく、梱包体１の両側の開口部１ｉ，１ｉを開口することができれば、如何なるものでもよい。
【００３２】
製品投入機構１４は、パック集合体２の投入をガイドするガイド部と、パック集合体２を梱包体の内部に投入する投入部とを有する。ガイド部は、例えばガイドプレート等であり、梱包体１の内部に差し込まれ、それぞれ梱包体１の上面１ａ、下面１ｂ、左側面１ｃ、右側面１ｄと内側で接し、梱包体１の両側の開口部１ｉ，１ｉの全開状態を保持するとともに、パック集合体２が梱包体１の内部に投入される際に引っ掛からないようにする等、パック集合体２の投入をガイドする。投入部は、図６に示すように、梱包体１の一方の開口部１ｉから挿入され、製品供給機構１１によって設けられたパック集合体２を梱包体１の内部に投入する挿入プッシャー１４ａと、他方の開口部１ｉから梱包体１の内部の所定の位置まで挿入され、一方の開口部１ｉから投入されるパック集合体２を受ける受け部材１４ｂとを有する。受け部材１４ｂは、一方の開口部１ｉから投入されるパック集合体２を受ける主面部１４ｃに、挿入プッシャー１４ａによってパック集合体２を一方の開口部１ｉから梱包体１の内部に収納する際に発生する空気の流れを、他方の開口部１ｉから逃がす切欠き等の通気部１４ｄが形成されている。
【００３３】
投入部は、梱包体１の内部の所定の位置まで挿入された受け部材１４ｂに突き当たるまで、挿入プッシャー１４ａによってパック集合体２を梱包体１の内部に投入することで、図７に示すように、パック集合体２を梱包体１の内部の所定の位置に収納する。具体的に、投入部は、折込機構１５で両側の開口部１ｉ，１ｉの周辺を折り込むことができる程度、梱包体１の両側の開口部１ｉ，１ｉからそれぞれ所定の距離内側に離間させて、パック集合体２の両側に折込領域１ｋ，１ｋを有するように、パック集合体２を梱包体１の内部に収納する。この際、通気部１４ｄは、挿入プッシャー１４ａによってパック集合体２を一方の開口部１ｉから梱包体１の内部に収納する際に発生する空気の流れを、他方の開口部１ｉから逃がし、梱包体１が破れることを防止する。なお、通気部１４ｄは、切欠きに限定されるものではなく、パック集合体２を一方の開口部１ｉから梱包体１の内部に収納する際に発生する空気の流れを、他方の開口部１ｉから逃がすことができるものであれば如何なるものでもよい。例えば、通気部１４ｄは、挿通孔や挿通溝であってもよい。また、通気部１４ｄを設けずに、受け部材１４ｂの主面部１４ｃを梱包体１の内側より小さく設けるようにしてもよい。
【００３４】
折込機構１５は、折込領域１ｋ，１ｋを折り込む折込部を有する。折込部は、例えば折込チャックであり、パック集合体２の両側の折込領域１ｋ，１ｋの開口部１ｉ，１ｉの周辺を保持する。そして、折込部は、例えば先ず梱包体１の左側面１ｃ及び右側面１ｄの両側の折込領域１ｋ，１ｋを内側に折り込み、次に上面１ａ及び下面１ｂの両側の折込領域１ｋ，１ｋを内側に折り込み、図２に示すように、梱包体１の両側に折込片１ｊ，１ｊを形成し、梱包体１の両側の開口部１ｉ，１ｉを閉塞する。この際、折込部は、パック集合体２の両側の折込領域１ｋ，１ｋを同時に折り込むようにしてもよく、どちらか一方の折込領域１ｋを折り込んだ後に他方の折込領域１ｋを折り込むようにしてもよい。
【００３５】
密閉機構１６は、開口部１ｉ，１ｉを粘着テープ等の密閉部材１８で密閉する密閉部を有する。密閉部は、図２に示すように、梱包体１の両側の折込片１ｊ，１ｊの外面に粘着テープ１８を貼り、両側の開口部１ｉ，１ｉを密閉する。なお、密閉部材は、粘着テープ１８に限定されるものではなく、開口部１ｉ，１ｉを密閉することができるものであれば如何なるものでもよい。また、密閉部は、梱包体１の両側の折込片１ｊ，１ｊを熱融着し、両側の開口部１ｉ，１ｉを密閉するものでもよい。
【００３６】
搬送機構１７は、パック集合体２を梱包装置１０内の各機構に亘って搬送する搬送部と、梱包体１を用いて梱包されたパック集合体２を梱包装置１０の外部に搬出する搬出部とを有する。搬送部は、例えば搬出用プレート１７ａであり、搬出用プレート１７ａを駆動部等で駆動することにより、開袋機構１３、製品投入機構１４、折込機構１５及び密閉機構１６に亘って、パック集合体２を搬送する。搬出部は、ローラコンベヤ等であり、梱包体１を用いて梱包されたパック集合体２を、梱包装置１０の外部の倉庫や市場等へ搬出する。なお、搬送部は、搬出用プレート１７ａに限定されるものではなく、パック集合体２を各機構に亘って搬送することができるものであれば、如何なるものでもよい。また、搬出部は、ローラコンベヤに限定されるものではなく、梱包体１を用いて梱包されたパック集合体２を梱包装置外に搬出することができるものであれば、如何なるものでもよい。
【００３７】
以上のような構成を有する梱包装置により、パック集合体２は、梱包体１によって梱包される。
【００３８】
具体的に、製品供給機構１１において、図１に示すように、トイレットペーパロール３が２行２列に配列された１段が３段積層された１２ロールをまとめて樹脂フィルムを用いてパック詰めされたパック体４が、配列部によって、２行４列に配列され、パック集合体２として設けられる。そして、配列部によって配列されたパック集合体２は、供給部によって、製品投入機構１４へ搬送される。
【００３９】
次いで、ストック機構１２において、図４に示すように、梱包体１は、上面１ａと右側面１ｄとからなる一主面と、下面１ｂと左側面１ｃとからなるストック部１２ａと接する他主面とを有するように第１の折り目１ｅ及び第３の折り目１ｇで扁平に折り畳まれ、ストック部１２ａに複数積層されている。ストック部１２ａに複数積層されている梱包体１は、取出部の吸着パッドによって、最上部の１枚の梱包体１が吸着されて取り出され、搬送機構１７の搬出用プレート１７ａ上に配置される。そして、搬出用プレート１７ａ上に配置された梱包体１は、取出部の吸着パッドによる梱包体１の保持が解除された後に、搬出用プレート１７ａによって、ストック機構１２から開袋機構１３へ搬送される。
【００４０】
次いで、開袋機構１３において、図４に示すように、梱包体１は、開袋部の吸着パッドによって、上面１ａが吸着されて、左側面１ｃ及び右側面１ｄが下面１ｂに対して立ち上がり略垂直となるように、上面１ａが持ち上げられ、両側の開口部１ｉ，１ｉが全開状態とされる。そして、両側の開口部１ｉ，１ｉが開口された梱包体１は、両側の開口部１ｉ，１ｉが全開状態のまま、搬出用プレート１７ａによって、開袋機構１３から製品投入機構１４へ搬送される。
【００４１】
次いで、製品投入機構１４において、梱包体１は、ガイド部のガイドプレートが内部に差し込まれ、ガイド部のガイドプレートがそれぞれ上面１ａ、下面１ｂ、左側面１ｃ及び右側面１ｄと内側で接し、両側の開口部１ｉ，１ｉの全開状態が保持される。そして、梱包体１は、図６に示すように、投入部の挿入プッシャー１４ａが一方の開口部１ｉから挿入され、投入部の挿入プッシャー１４ａによって、製品供給機構１１によって設けられたパック集合体２が内部に投入されるとともに、他方の開口部１ｉから一方の開口部１ｉから投入されるパック集合体２を受ける投入部の受け部材１４ｂが梱包体１の内部の所定の位置まで挿入される。そして、梱包体１は、挿入プッシャー１４ａによって、パック集合体２が梱包体１の内部の所定の位置まで挿入された受け部材１４ｂに突き当たるまで投入されることで、図７に示すように、パック集合体２が内部の所定の位置に収納される。具体的に、梱包体１は、図７に示すように、両側の開口部１ｉ，１ｉから、折込機構１５で両側の開口部１ｉ，１ｉの周辺を折り込むことができる程度、それぞれ所定の距離内側に離間させて、パック集合体２の両側に折込領域１ｋ，１ｋを有するように、パック集合体２が内部に収納される。この際、梱包体１は、挿入プッシャー１４ａによってパック集合体２が一方の開口部１ｉから内部に収納される際に発生する空気の流れが、通気部１４ｄによって、他方の開口部１ｉから逃がされることで、破れることが防止される。そして、パック集合体２が収納された梱包体１から、挿入プッシャー１４ａ及び受け部材１４ｂが抜かれる。また、梱包体１は、ガイド部のガイドプレートによって、パック集合体２が梱包体１の内部に投入される際に、パック集合体２、挿入プッシャー１４ａ及び受け部材１４ｂが引っ掛からないようをガイドされている。そして、パック集合体２が内部に収納された梱包体１は、搬出用プレート１７ａによって、製品投入機構１４から折込機構１５へ搬送される。
【００４２】
次いで、折込機構１５において、梱包体１は、折込部の折込チャックによって、パック集合体２の両側の折込領域１ｋ，１ｋの開口部１ｉ，１ｉの周辺が保持される。そして、梱包体１は、折込部の折込チャックによって、例えば先ず左側面１ｃ及び右側面１ｄの両側の折込領域１ｋ，１ｋが内側に折り込まれ、次に上面１ａ及び下面１ｂの両側の折込領域１ｋ，１ｋが内側に折り込まれ、図２に示すように、梱包体１の両側に折込片１ｊ，１ｊが形成され、両側の開口部１ｉ，１ｉが閉塞される。そして、折り込みが完了された梱包体１は、搬出用プレート１７ａによって、折込機構１５から密閉機構１６へ搬送される。
【００４３】
次いで、密閉機構１６において、梱包体１は、密閉部によって、図２に示すように、梱包体１の両側の折込片１ｊ，１ｊの外面に粘着テープ１８が貼られ、両側の開口部１ｉ，１ｉが密閉される。以上のようにして、梱包体１は、パック集合体２を梱包する。
【００４４】
そして、パック集合体２が梱包された梱包体１は、搬送機構１７の搬出部のローラコンベヤによって、梱包体１を用いて梱包されたパック集合体２が、密閉機構１６から倉庫や市場等へ搬出される。
【００４５】
したがって、本発明によれば、両端に開口部１ｉ、１ｉを有する筒状に形成された梱包体１を用いてパック集合体２を梱包することで、パック集合体を一方の開口部１ｉから梱包体１の内部に収納する際に発生する空気の流れを、他方の開口部１ｉから逃がすことができるので、梱包体１を破ることなく、収納することができる。
【００４６】
更に、本発明によれば、両端に開口部１ｉ、１ｉを有する筒状に形成された梱包体１を用いることで、梱包体１が扁平に折り畳まれた際に均一な厚さとなり、安定して積層することができる。
【００４７】
更に、本発明によれば、従来のダンボールの代わりに、パック集合体２の梱包材料として、軽量で保管場所をとらないクラフト紙を使用することで、従来のダンボールに比べ、梱包体１の重量を軽減できると共に、梱包体１の保管場所のスペースを軽減でき、しかもこれらの梱包体１の後処理費用を大幅に削減することができて経済的である。
【００４８】
更に、本発明によれば、梱包体１の両側の開口部１ｉ，１ｉの周辺を折込み、密閉するので、両側の開口部１ｉ，１ｉを完全に密閉でき、トイレットペーパなどの製品の衛生管理の維持ができる。
【００４９】
なお、梱包体１は、パック集合体２と接する側の面である内側１ｍに、フィルム層１９が設けられる２重構造にしてもよい。フィルム層１９は、防水性、防湿性、密封性、耐薬品性等に優れた特殊フィルムであり、例えば、ポリエチレンフィルムやポリプロピレンフィルムやアルミ箔等である。このようなフィルム層１９は、ラミネート加工を施すことや単に接着剤等による接着や熱溶着等で、全面で接合され、梱包体１を構成するクラフト紙の内側１ｍに貼り合わされる。
【００５０】
以上のように、内側１ｍにフィルム層１９が貼り合わされた梱包体１は、内側１ｍにフィルム層１９が貼り合わされていない梱包体１と比べて、防水性、防湿性、密封性、耐薬品性等を向上させることができる。
【００５１】
また、フィルム層１９は、梱包体１を構成するクラフト紙の内側１ｍと全面で接合されることに限定されるものではなく、部分的に接合されるものでもよい。例えば、フィルム層１９は、図８（Ａ）に示すように、梱包体１の各面１ａ，１ｂ，１ｃ，１ｄの長辺と平行で短辺方向に所定の間隔を有したストライプ状の接合部１９ａを設けて、梱包体１を構成するクラフト紙の内側１ｍに接合されるようにしてもよい。更に、フィルム層１９は、図８（Ｂ）に示すように、梱包体１の各面１ａ，１ｂ，１ｃ，１ｄの短辺と平行で長辺方向に所定の間隔を有したストライプ状の接合部１９ｂを設けて、梱包体１を構成するクラフト紙の内側１ｍに接合されるようにしてもよい。更に、フィルム層１９は、図８（Ｃ）に示すように、梱包体１の各面１ａ，１ｂ，１ｃ，１ｄに格子状の接合部１９ｃを設けて、梱包体１を構成するクラフト紙の内側１ｍに接合されるようにしてもよい。更に、フィルム層１９は、梱包体１の各面１ａ，１ｂ，１ｃ，１ｄに散点されたドット状の接合部を設けて、梱包体１を構成するクラフト紙の内側１ｍに接合されるようにしてもよい。
【００５２】
以上のように、ストライプ状、格子状及びドット状の接合部１９ａ，１９ｂ，１９ｃが設けられ、フィルム層１９が梱包体１を構成するクラフト紙の内側１ｍと部分的に接合された梱包体１は、フィルム層１９が梱包体１を構成するクラフト紙の内側１ｍと全面で接合されるものより、接着剤を節約することができる。更に、梱包体１の各面１ａ，１ｂ，１ｃ，１ｄの長辺と平行なストライプ状の接合部１９ａが設けられた梱包体１及びドット状の接合部が設けられ梱包体１は、パック集合体を一方の開口部１ｉから梱包体１の内部に収納する際に、梱包体１を構成するクラフト紙とフィルム層１９との間の空気を開口端部から逃がすことができるので、フィルム層１９と梱包体１が密閉し、短辺と平行なストライプ状の接合部１９ｂが設けられたものや、格子状の接合部１９ｃが設けられたものより、容易に収納することができる。
【００５３】
更に、上述したように、全面や部分的にフィルム層１９が梱包体１を構成するクラフト紙の内側１ｍに接合された梱包体１は、図８（Ｄ）乃至図８（Ｇ）に示すように、フィルム層１９の開口端部に、梱包体１を構成するクラフト紙と分離された非接合部２０を有するように設けてもよい。このような非接合部２０を有するフィルム層１９が設けられた梱包体１は、パック集合体２が梱包体１から取り出され、梱包体１の後処理が行われる際に、後処理作業者が、梱包体１を構成するクラフト紙の開口端部１ｎと、梱包体１を構成するクラフト紙と分離されたフィルム層１９の非接合部２０とを把持することができ、非接合部２０を有していない梱包体より、容易に梱包体１を構成するクラフト紙からフィルム層１９を分別することができる。よって、このような梱包体１は、非接合部２０を有していない梱包体より、梱包体１を構成するクラフト紙とフィルム層１９との分別が容易に行え、容易にリサイクルを行うことができて経済的である。更に、梱包体１は、図８（Ｄ）に示すような、非接合部２０を有するとともに、フィルム層１９が梱包体１を構成するクラフト紙の内側１ｍと全面で接合されたものより、図８（Ｅ）乃至図８（Ｇ）に示すような、非接合部２０を有するとともに、フィルム層１９が梱包体１を構成するクラフト紙の内側１ｍと部分的に接合されたものが、より好ましい。フィルム層１９が梱包体１を構成するクラフト紙の内側１ｍと部分的に接合された梱包体１は、フィルム層１９が梱包体１を構成するクラフト紙の内側１ｍと全面で接合されたものより、接合部が少なく、フィルム層１９が梱包体１を構成するクラフト紙の内側１ｍと全面で接合されたものより、梱包体１を構成するクラフト紙とフィルム層１９との分別が容易に行え、容易にリサイクルを行うことができて経済的である。
【００５４】
更に、梱包体１は、図８（Ｈ）及び図９に示すように、フィルム層１９を、梱包体１内に収納されたパック集合体２より開口部側で、梱包体１の両側の開口部１ｉ，１ｉからそれぞれ所定の距離内側に離間した位置に、梱包体１の各面１ａ，１ｂ，１ｃ，１ｄの短辺方向に延在し、梱包体１を構成するクラフト紙と接合する接合部１９ｈ，１９ｈだけで、接合されるようにしてもよい。この場合においても、梱包体１には、フィルム層１９の開口端部に、梱包体１を構成するクラフト紙と分離された非接合部２０が設けられる。したがって、このような梱包体１は、梱包体１を構成するクラフト紙とフィルム層１９とが接合部１９ａだけで接合されているので、梱包体１を構成するクラフト紙とフィルム層１９とを、全面や、ストライプ状、格子状又はドット状の接合部１９ａ，１９ｂ，１９ｃを設けて接合させる梱包体より、容易に梱包体１を構成するクラフト紙からフィルム層１９を分別することができるとともに、接着剤を節約することができる。
【００５５】
なお、フィルム層１９は、防水性、防湿性、密封性、耐薬品性等に優れたものであれば、如何なる材質からなるフィルムであってもよい。
【００５６】
更に、梱包体１は、内側１ｍにフィルム層１９が設けられるものに限定されるものではなく、梱包体１の強度の向上を図るために、フィルム層１９に代わり、クラフト紙が設けられる２重構造にしてもよい。
【００５７】
また、梱包体１は、梱包体１を構成するクラフト紙上に、フィルム層１９又はクラフト紙を設けた２重構造に限定されるものではなく、梱包体１を構成するクラフト紙上に、同一又はそれぞれ異なる材質のフィルム層１９を設けた３重構造、４重構造等の多層構造であってもよい。更に、梱包体１は、クラフト紙からなる３重構造、４重構造等の多層構造であってもよい。更に、梱包体１は、梱包体１を構成するクラフト紙上に、同一又はそれぞれ異なる材質のフィルム層１９とクラフト紙とを順に積層したものを設けた３重構造、４重構造等の多層構造であってもよい。更に、これらの多層構造を有する梱包体１は、各層の開口端部に、隣接する層と分離された非接合部２０を有するようにしてもよい。更に、これらの多層構造を有する梱包体１は、少なくともクラフト紙からフィルム層１９を分別することができるように、フィルム層１９と隣接する層の開口端部に非接合部２０を有するようにしてもよい。
【００５８】
更に、梱包体１は、クラフト紙からなるものに限定されるものではなく、上述したフィルム層１９と同様の材質の樹脂シートからなるものでもよい。
【００５９】
更に、折込片１ｊ，１ｊの外面に貼られる粘着テープ１８は、梱包体１がクラフト紙からならなる場合、クラフト紙からなるものを用い、梱包体１が樹脂シートからなる場合、樹脂シートと同様の材質からなるものを用いてもよい。このような梱包体１は、梱包体１と同様の材質からなる粘着テープ１８を用いることで、梱包体１と粘着テープ１８とがともに同様の材質からなるので、後処理が行われる際に、後処理作業者が、粘着テープ１８を梱包体１から分別する必要がなくなり、容易にリサイクルを行うことができて経済的である。
【符号の説明】
【００６０】
１  梱包体、２  パック集合体、３  トイレットペーパロール、４  パック体、１０  梱包装置、１１  製品供給機構、１２  ストック機構、１３  開袋機構、１４  製品投入機構、１４ａ  挿入プッシャー、１４ｂ  受け部材、１５  折込機構、１６  密閉機構、１７  搬送機構、１８  粘着テープ、１９  フィルム層
【図１】
2011026005.tif 000003
【図２】
2011026005.tif 000004
【図３】
2011026005.tif 000005
【図４】
2011026005.tif 000006
【図５】
2011026005.tif 000007
【図６】
2011026005.tif 000008
【図７】
2011026005.tif 000009
【図８】
2011026005.tif 000010
【図９】
2011026005.tif 000011